(57)【要約】【課題】プラテンの上面に余計な異物が溜まりにくい画像読取装置を提供すること。【解決手段】画像読取装置は、搬送部、プラテン、読取部、案内部を備える。案内部は、プラテンよりもシートの搬送方向下流側かつプラテンに隣接する位置に設けられ、搬送部によって搬送されるシートに接触して、当該シートを搬送方向下流側へと案内する。案内部は、搬送方向に交差する方向に配列されるとともに、搬送経路に向かって突出する複数の突出部を有する。複数の突出部は、互いの間に間隙を有し、当該間隙を有する部分によって受け部が構成され、シートの搬送に伴ってプラテンよりもシートの搬送方向下流側へと運ばれてくる異物を受け部へ受け入れ可能に構成されている。【選択図】図４
2018107591.tif 000002
【特許請求の範囲】
【請求項１】
シートを搬送経路に沿って搬送する搬送部と、
前記搬送部によって搬送されるシートが接触するプラテンと、
前記プラテンを挟んで前記搬送経路とは反対側となる位置において、前記プラテンに接触しつつ搬送されるシートの画像を読み取る読取部と、
前記プラテンよりもシートの搬送方向下流側かつ前記プラテンに隣接する位置に設けられ、前記搬送部によって搬送されるシートに接触して、当該シートを前記搬送方向下流側へと案内する案内部と
を備え、
前記案内部は、前記搬送方向に交差する方向に配列されるとともに、前記搬送経路に向かって突出する複数の突出部を有し、
前記複数の突出部は、各突出部の上端部でシートに接触して当該シートを前記搬送方向下流側へと案内可能に構成され、
しかも、前記複数の突出部は、互いの間に間隙を有し、当該間隙を有する部分によって受け部が構成され、シートの搬送に伴って前記プラテンよりもシートの搬送方向下流側へと運ばれてくる異物を前記受け部へ受け入れ可能に構成されている
画像読取装置。
【請求項２】
請求項１に記載の画像読取装置であって、
前記複数の突出部は、前記搬送方向に直交するシートの幅方向について、前記プラテンの一端から他端にわたる範囲の内側に含まれる領域に設けられている
画像読取装置。
【請求項３】
請求項１又は請求項２に記載の画像読取装置であって、
前記受け部の底面には、前記プラテンから離れる方向に向かって下り勾配となる傾斜が付与されている
画像読取装置。
【請求項４】
請求項１から請求項３までのいずれか一項に記載の画像読取装置であって、
前記受け部は、前記プラテンから離れるほど前記間隙が狭まる形状とされている
画像読取装置。
【請求項５】
請求項１から請求項３までのいずれか一項に記載の画像読取装置であって、
前記受け部は、前記プラテンから離れるほど間隙が拡がる形状とされている
画像読取装置。
【請求項６】
請求項１から請求項５までのいずれか一項に記載の画像読取装置であって、
前記受け部を挟んで前記プラテンとは反対側となる位置には、前記受け部から溢れ出た異物が貯留される貯留部が設けられている
画像読取装置。
【請求項７】
請求項６に記載の画像読取装置であって、
前記貯留部の底面は、前記受け部の底面よりも低い位置に形成されている
画像読取装置。
【請求項８】
請求項７に記載の画像読取装置であって、
前記貯留部は、前記搬送方向に直交するシートの幅方向に延びる溝である
画像読取装置。
【請求項９】
請求項８に記載の画像読取装置であって、
前記案内部及び前記貯留部は、装置本体の上面に設けられ、
前記溝は、長手方向の一端が前記装置本体の上面にあり、前記一端に近づくほど前記溝の深さが浅くなって、前記一端では前記装置本体の上面と前記溝の底面との間に段差がなくなる形状とされている
画像読取装置。
【請求項１０】
請求項８に記載の画像読取装置であって、
前記案内部及び前記貯留部は、装置本体の上面に設けられ、
前記溝は、長手方向の一端が前記装置本体の側面に達する形状とされている
画像読取装置。
【発明の詳細な説明】
【技術分野】
【０００１】
本開示は、画像読取装置に関する。
【背景技術】
【０００２】
自動原稿送り装置（Automatic Document Feeder；以下、ＡＤＦと略称する。）を備えた画像読取装置において、画像の読み取り位置近傍かつ原稿の移動方向上流側となる箇所に集塵排出手段を設けて、塵や埃といった異物を除去する技術が提案されている（例えば、特許文献１参照。）。
【先行技術文献】
【特許文献】
【０００３】
【特許文献１】特開２００５−２５５３２４号公報
【発明の概要】
【発明が解決しようとする課題】
【０００４】
ＡＤＦ用プラテンから搬送方向下流側へと延びる搬送経路には、ＡＤＦ用プラテンから搬送方向下流側に向かって上り勾配となる傾斜が付与される場合がある。例えば、フラットベッド（Flat Bed；以下、ＦＢと略称する。）を備える画像読取装置の場合、ＡＤＦ用プラテン及びＦＢ用プラテンは双方とも略水平に配置されることが多い。この場合、ＡＤＦ用プラテンは搬送経路の下側を画定する位置に設けられ、ＡＤＦ用プラテンから搬送方向下流側へと延びる搬送経路は、上述のような上り勾配の傾斜を持つ経路とされる。
【０００５】
しかし、一般に、塵や埃などの異物は、重力に従って傾斜面を下る方向へは移動しやすいものの、重力に逆らって傾斜面を上る方向へは移動しにくい傾向がある。そのため、ＡＤＦ用プラテンよりも搬送方向下流側にある搬送経路が上り勾配の経路になっていると、ＡＤＦ用プラテンと上り勾配の経路との境界付近に異物が溜まりやすくなる。したがって、このような箇所に溜まる異物によってＡＤＦ用プラテンの汚損を招けば、原稿から読み取られる画像の品質に悪影響を及ぼすおそれがある。
【０００６】
上記特許文献１に記載の集塵排出手段の場合、原稿の移動方向上流側となる箇所に設けられるので、当該箇所において異物を除去することはできる。しかし、ＡＤＦ用プラテンとその搬送方向下流側にある搬送経路との境界付近に異物が溜まった場合に、そのような異物を上記特許文献１に記載の集塵排出手段で除去することは困難である。
【０００７】
したがって、本開示の一局面においては、プラテンの上面に余計な異物が溜まりにくい画像読取装置を提供することが望ましい。
【課題を解決するための手段】
【０００８】
本開示の一態様は、画像読取装置であって、シートを搬送経路に沿って搬送する搬送部と、搬送部によって搬送されるシートが接触するプラテンと、プラテンを挟んで搬送経路とは反対側となる位置において、プラテンに接触しつつ搬送されるシートの画像を読み取る読取部と、プラテンよりもシートの搬送方向下流側かつプラテンに隣接する位置に設けられ、搬送部によって搬送されるシートに接触して、当該シートを搬送方向下流側へと案内する案内部とを備え、案内部は、搬送方向に交差する方向に配列されるとともに、搬送経路に向かって突出する複数の突出部を有し、複数の突出部は、各突出部の上端部でシートに接触して当該シートを搬送方向下流側へと案内可能に構成され、しかも、複数の突出部は、互いの間に間隙を有し、当該間隙を有する部分によって受け部が構成され、シートの搬送に伴ってプラテンよりもシートの搬送方向下流側へと運ばれてくる異物を受け部へ受け入れ可能に構成されている。
【０００９】
このように構成された画像読取装置によれば、シートの搬送に伴って異物（例えば、塵、埃、紙粉等。）がプラテンよりもシートの搬送方向下流側へと運ばれてきたとしても、そのような異物を受け部に受け入れることができる。そのため、案内部に上述のような受け部が設けられていない装置とは異なり、プラテンと案内部との境界付近に異物が溜まってしまうのを抑制することができる。
【００１０】
したがって、プラテンと案内部との境界付近に異物が溜まりやすい装置とは異なり、境界付近に溜まった異物によってプラテンが汚損されるのを抑制できる。よって、プラテンの汚損が原因で、読取部によって読み取られる画像の品質が低下するのを抑制することができる。
【図面の簡単な説明】
【００１１】
【図１】図１は複合機の外観を示す斜視図である。
【図２】図２は読取ユニットの縦断面図である。
【図３】図３ＡはＦＢ部の上部を示す斜視図である。図３Ｂは図３Ａ中に示すＩＩＩＢ部の拡大図である。
【図４】図４ＡはＦＢ部の上部を示す平面図である。図４Ｂは図４Ａ中に示すＩＶＢ部の拡大図である。
【図５】図５は図４Ｂ中にＶ−Ｖ線で示した切断箇所を拡大して示す断面図である。
【図６】図６Ａは別形状の貯留部を示す部分平面図である。図６Ｂは図６Ａ中にＶＩＢ−ＶＩＢ線で示した切断箇所を示す断面図である。
【図７】図７Ａは更に別形状の貯留部を示す部分平面図である。図７Ｂは図７Ａ中にＶＩＩＢ−ＶＩＩＢ線で示した切断箇所を示す断面図である。
【図８】図８Ａは別形状の受け部を示す部分平面図である。図８Ｂは更に別形状の受け部を示す部分平面図である。
【発明を実施するための形態】
【００１２】
次に、上述の画像読取装置について、例示的な実施形態を挙げて説明する。
［複合機の構成］
図１に示す複合機１は、上述の画像形成装置の一例に相当する構成を備える装置である。なお、以下の説明においては、複合機１を構成する各部の相対的な位置関係を簡潔に説明するために、図中に上下左右前後の各方向を併記し、これらの各方向を利用して説明を行う。これらの各方向のうち、上下方向は複合機１を水平面上に設置した場合における水平面に直交する方向、前方は後述する操作パネル５が設けられる方向、後方は前方の反対方向、左右方向は上記前方から複合機１を見た場合における左右方向である。
【００１３】
複合機１は、図１に示すように、本体ユニット２と、読取ユニット３とを備える。本体ユニット２には、被記録媒体に対して画像を形成する画像形成部や、複合機１が備える各部を制御する制御部などが設けられる。読取ユニット３は、フラットベッド部３Ａ（以下、ＦＢ部３Ａと称する。）と、自動原稿搬送部３Ｂ（以下、ＡＤＦ部３Ｂと称する。）とを備える。
【００１４】
複合機１の前面には、操作パネル５が設けられている。操作パネル５は、利用者が複合機１に対して各種指令を与える際に操作する入力装置（例えば、タッチパネル、各種ボタン類、及びスイッチ類。）と、複合機１の動作状態などを利用者に通知するための出力装置（例えば、液晶ディスプレイ装置、及び各種ランプ類。）を有する。
【００１５】
操作パネル５の下方には、媒体排出トレイ６が設けられている。画像形成部において画像が形成された被記録媒体は、媒体排出トレイ６に排出される。媒体排出トレイ６の下方には、前面カバー７が設けられている。前面カバー７は、前面カバー７の下端付近において左右方向に延びる軸線を回動中心として回動可能に構成されている。前面カバー７を回動させることにより、前面カバー７を開閉することができる。前面カバー７を開いた場合には、本体ユニット２の内部に設けられた画像形成部にアクセス可能となり、画像形成部に対するメンテナンスなどを実施することができる。前面カバー７の下方には、媒体供給カセット８が取り付けられている。媒体供給カセット８には、画像形成部へ供給される被記録媒体が収容される。
【００１６】
［読取ユニットの詳細］
読取ユニット３において、ＦＢ部３Ａには、図２に示すように、第一イメージセンサ１１（本明細書でいう読取部の一例に相当。）が配設されている。ＡＤＦ部３Ｂには、第二イメージセンサ１２が配設されている。第一イメージセンサ１１及び第二イメージセンサ１２は、一方向に配列された複数の読取素子を有するセンサであり、本実施形態においては、密着イメージセンサ（ＣＩＳ；Contact Image Sensor）が採用されている。
【００１７】
また、読取ユニット３において、ＡＤＦ部３Ｂは、所定の搬送経路に沿ってシートを搬送する搬送部２０を備える。搬送部２０の搬送方向上流側には、搬送部２０へ供給されるシートを支持する供給部２１が設けられている。搬送部２０の搬送方向下流側には、搬送部２０から排出されたシートを支持する排出部２２が設けられている。搬送部２０の上方には、搬送部２０を覆う上部カバー２４が配設されている。
【００１８】
搬送部２０は、吸入ローラ２５、分離ローラ２６Ａ、分離片２６Ｂ、第一搬送ローラ２７Ａ、第一ピンチローラ２７Ｂ、第二搬送ローラ２８Ａ、第二ピンチローラ２８Ｂ、排出ローラ２９Ａ、及び排出ピンチローラ２９Ｂなどを備える。
【００１９】
供給部２１に載置されるシートは、吸入ローラ２５によって供給部２１から搬送方向下流側へと送り出され、分離ローラ２６Ａ、及び分離片２６Ｂによって１枚ずつに分離される。そして、更に第一搬送ローラ２７Ａや第二搬送ローラ２８Ａによって搬送方向下流側へと搬送されて、排出ローラ２９Ａによって排出部２２へと排出される。
【００２０】
上記搬送経路に沿った位置で、当該搬送経路が最も下に位置する箇所には、第一ＡＤＦプラテン３１が設けられている。搬送経路を挟んで第一ＡＤＦプラテン３１と対向する位置には、第一シート押さえ部３３が設けられている。第一シート押さえ部３３は、第一ＡＤＦプラテン３１に対して上から対向している。また、上記搬送経路に沿った位置で、第二搬送ローラ２８Ａから第一ＡＤＦプラテン３１に向かって斜め下方へと延びる搬送経路の上方には、第二ＡＤＦプラテン３２が設けられている。搬送経路を挟んで第二ＡＤＦプラテン３２と対向する位置には、第二シート押さえ部３４が設けられている。第二シート押さえ部３４は、第二ＡＤＦプラテン３２に対して斜め下から対向している。
【００２１】
これらのうち、第一ＡＤＦプラテン３１は、ＦＢ部３Ａに配設されている。第二ＡＤＦプラテン３２、第一シート押さえ部３３、及び第二シート押さえ部３４は、ＡＤＦ部３Ｂに配設されている。第一ＡＤＦプラテン３１、及び第二ＡＤＦプラテン３２は、本実施形態の場合、ガラス板によって構成されている。第一シート押さえ部３３、及び第二シート押さえ部３４は、板金によって構成されている。なお、第一シート押さえ部３３、及び第二シート押さえ部３４は、樹脂によって構成されていてもよい。
【００２２】
第一シート押さえ部３３は、ばね３５によって第一ＡＤＦプラテン３１に向かって付勢され、第一ＡＤＦプラテン３１の上面に接触しつつ通過するシートを第一ＡＤＦプラテン３１に向かって押圧する。ただし、第一シート押さえ部３３は、第一ＡＤＦプラテン３１に対向する面、かつ本実施形態でいう前後方向両端となる箇所に凸部（図示略。）を有し、これらの凸部で第一ＡＤＦプラテン３１に当接している。そのため、第一シート押さえ部３３における第一ＡＤＦプラテン３１に対向する面と第一ＡＤＦプラテン３１との間には、上述した凸部の突出高さに相当する微小な隙間が形成されている。
【００２３】
シートが第一ＡＤＦプラテン３１と第一シート押さえ部３３との間を搬送される際、第一シート押さえ部３３は、上述の微小な隙間が維持される範囲内で、シートを第一ＡＤＦプラテン３１に向かって押圧する。ばね３５は、シートの搬送を妨げない程度の付勢力で第一シート押さえ部３３を第一ＡＤＦプラテン３１に向かって押圧し、これにより、シートが第一ＡＤＦプラテン３１から浮き上がるのを抑制する。
【００２４】
第二シート押さえ部３４は、ばね３６によって第二ＡＤＦプラテン３２に向かって付勢され、第二ＡＤＦプラテン３２の下面に接触しつつ通過するシートを第二ＡＤＦプラテン３２に向かって押圧する。ただし、第二シート押さえ部３４も、第二ＡＤＦプラテン３２に対向する面、かつ本実施形態でいう前後方向両端となる箇所に凸部（図示略。）を有し、これらの凸部で第二ＡＤＦプラテン３２に当接している。そのため、第二シート押さえ部３４における第二ＡＤＦプラテン３２に対向する面と第二ＡＤＦプラテン３２との間には、上述した凸部の突出高さに相当する微小な隙間が形成されている。
【００２５】
シートが第二ＡＤＦプラテン３２と第二シート押さえ部３４との間を搬送される際、第二シート押さえ部３４は、上述の微小な隙間が維持される範囲内で、シートを第二ＡＤＦプラテン３２に向かって押圧する。ばね３６は、シートの搬送を妨げない程度の付勢力で第二シート押さえ部３４を第二ＡＤＦプラテン３２に向かって押圧し、これにより、シートが第二ＡＤＦプラテン３２から浮き上がるのを抑制する。
【００２６】
また、ＦＢ部３Ａには、ＦＢプラテン３７が設けられている。ＡＤＦ部３Ｂには、押圧部３８が設けられている。ＦＢプラテン３７は、本実施形態の場合、第一ＡＤＦプラテン３１、及び第二ＡＤＦプラテン３２と同様に、ガラス板によって構成されている。押圧部３８は、発泡樹脂層と硬質樹脂フィルム層の積層体によって構成されている。ＡＤＦ部３Ｂが閉じられた際、押圧部３８は、若干の弾性変形を伴ってＦＢプラテン３７の上面に密接し、ＦＢプラテン３７上に載置された読み取り対象物をＦＢプラテン３７に向かって押圧する。
【００２７】
ＦＢ部３Ａには、ガイドレール４１、キャリッジ４３、歯付きベルト４５などが設けられている。ガイドレール４１は、第一ＡＤＦプラテン３１の下方からＦＢプラテン３７の下方にわたる範囲において、第一ＡＤＦプラテン３１、及びＦＢプラテン３７の下面と平行な状態で、本実施形態でいう左右方向に延在している。
【００２８】
キャリッジ４３は、ガイドレール４１の上部に取り付けられることにより、ガイドレール４１に沿って左右方向へ往復移動可能な状態で支持されている。キャリッジ４３は、歯付きベルト４５に連結されている。歯付きベルト４５は、モータ（図示略。）から伝達される動力によって正逆両方向へ循環駆動される。歯付きベルトが循環駆動される際、キャリッジ４３は、歯付きベルトに追従して左右方向へ往復移動する。
【００２９】
第一イメージセンサ１１は、キャリッジ４３に搭載されて、キャリッジ４３とともに左右方向へ往復移動する。第二イメージセンサ１２は、第二ＡＤＦプラテン３２を挟んで搬送経路に対向する位置から移動することはない。第一イメージセンサ１１、及び第二イメージセンサ１２が有する複数の読取素子は、本実施形態でいう前後方向に配列されている。
【００３０】
ＦＢプラテン３７の上面に載置された読み取り対象物（例えば、シートやブック原稿など）の画像を読み取る場合、第一イメージセンサ１１は、読取素子の配列方向（主走査方向）に対して直交する方向（副走査方向）へキャリッジ４３とともに移動しながら画像を読み取る。また、搬送部２０によって搬送されるシートの画像を読み取る場合、第一イメージセンサ１１は、第一シート押さえ部３３、及び第一ＡＤＦプラテン３１の下方で静止し、第一ＡＤＦプラテン３１の上面に接触しつつ通過するシートの画像を読み取る。第二イメージセンサ１２は、第二シート押さえ部３４、及び第二ＡＤＦプラテン３２の上方において、第二ＡＤＦプラテン３２の下面に接触しつつ通過するシートの画像を読み取る。
【００３１】
［案内部の詳細］
ＦＢ部３Ａの上面には、図３Ａ及び図３Ｂに示すように、案内部５１が設けられている。案内部５１は、ＦＢ部３Ａの上面を構成するトップカバー５２に一体成形されている。案内部５１は、第一ＡＤＦプラテン３１よりもシートの搬送方向下流側かつ第一ＡＤＦプラテン３１に隣接する位置（本実施形態の場合は、第一ＡＤＦプラテン３１の右隣となる位置。）に設けられている。
【００３２】
案内部５１は、複数の突出部５３を有する。複数の突出部５３は、搬送方向に交差する方向（図３Ａ中でいう前後方向。）に配列されている。本実施形態の場合、複数の突出部５３は、図４Ａ及び図４Ｂに示すように、搬送方向に直交するシートの幅方向（図４Ａ中でいう前後方向。）について、第一ＡＤＦプラテン３１の一端から他端にわたる範囲Ａ１の内側に含まれる領域に設けられている。
【００３３】
各突出部５３は、図３Ａ及び図３Ｂに示すように、搬送経路に向かって突出する形状とされている。搬送部２０によってシートが搬送された際、案内部５１は、各突出部５３の上端部でシートに接触して、シートを搬送経路に沿って搬送方向下流側へと案内する。本実施形態の場合、案内部５１は、第一ＡＤＦプラテン３１の右隣において、シートを右斜め上方へと案内する。
【００３４】
隣り合う位置にある突出部５３と突出部５３との間には、図４Ｂに示すように、受け部５５が構成されている。受け部５５は、突出部５３と突出部５３との間にある間隙を利用して構成されている。より詳しくは、受け部５５は、上述の間隙を空けて対向する第一内壁面５５Ａ及び第二内壁面５５Ｂを有する部分によって構成されている。第一内壁面５５Ａは、突出部５３の後面である。第二内壁面５５Ｂは、突出部５３の前面である。
【００３５】
また、本実施形態の場合、第一内壁面５５Ａと第二内壁面５５Ｂとの間にある空間の下端は、底面５５Ｃによって塞がれている。すなわち、本実施形態の場合、受け部５５は、第一内壁面５５Ａ、第二内壁面５５Ｂ、及び底面５５Ｃを有する溝状部分によって構成されている。受け部５５の底面５５Ｃは、図５に示すように、第一ＡＤＦプラテン３１の上面３１Ａよりも低い位置にある。そのため、シートの搬送に伴って第一ＡＤＦプラテン３１よりもシートの搬送方向下流側へ異物（例えば、塵、埃、紙粉等。）が運ばれてきた場合、そのような異物を受け部５５へと受け入れることができる。
【００３６】
受け部５５を挟んで第一ＡＤＦプラテン３１とは反対側となる位置（本実施形態の場合は、受け部５５の右隣となる位置。）には、貯留部５７が設けられている。貯留部５７は、受け部５５に溜まった異物が受け部５５の端（図４Ａ中でいう右端。）から溢れ出た場合に、その溢れ出た異物が貯留される部分である。本実施形態の場合、ＦＢ部３Ａの上面には溝が形成され、その溝が貯留部５７とされている。溝状に構成された貯留部５７は、受け部５５の右隣となる位置において前後方向へと延びている。
【００３７】
受け部５５の底面５５Ｃには、図５に示すように、第一ＡＤＦプラテン３１から離れる方向（図５中で右方向。）に向かって下り勾配となる傾斜が付与されている。これにより、受け部５５内においては、受け部５５に入った異物が第一ＡＤＦプラテン３１から離れる方向（図５中でいう右方向。）へ移動しやすくなっている。貯留部５７の底面５７Ｃは、図５中に示すとおり、受け部５５の底面５５Ｃよりも低い位置に形成されている。これにより、貯留部５７に入った異物が受け部５５のある方向（図５中でいう左方向。）へ逆行するのを抑制することができる。
【００３８】
［効果］
以上のように構成された複合機１によれば、シートの搬送に伴って異物が第一ＡＤＦプラテン３１よりもシートの搬送方向下流側へと運ばれてきたとしても、そのような異物を受け部５５に受け入れることができる。そのため、案内部５１に上述のような受け部５５が設けられていない装置とは異なり、第一ＡＤＦプラテン３１と案内部５１との境界付近に異物が溜まってしまうのを抑制することができる。
【００３９】
したがって、第一ＡＤＦプラテン３１と案内部５１との境界付近に異物が溜まりやすい装置とは異なり、境界付近に溜まった異物が第一ＡＤＦプラテン３１上へ散らかるのを抑制でき、そのような異物によって第一ＡＤＦプラテン３１が汚損されるのを抑制できる。よって、第一ＡＤＦプラテン３１の汚損が原因で、読取部によって読み取られる画像の品質が低下するのを抑制することができる。
【００４０】
また、上記複合機１の場合、受け部５５の右端から異物が溢れ出たとしても、そのような異物が貯留部５７に貯留される。したがって、同様な貯留部５７が設けられていない場合に比べ、より大量の異物に対処することができる。
【００４１】
また、上記複合機１の場合、貯留部５７が、シートの搬送方向に直交する方向へ延びる溝となっている。そのため、貯留部５７の右方に壁面が立ち上がっていない場合とは異なり、溝状の貯留部５７よりも右方へ異物が散らかることがない。したがって、第一ＡＤＦプラテン３１上に載った異物がＦＢプラテン３７に近づく方向へ移動しても、そのような異物を溝状の貯留部５７に溜めることができる。よって、異物がＦＢプラテン３７上に移動するのを抑制できる。
【００４２】
［他の実施形態］
以上、本開示の画像読取装置について、例示的な実施形態を挙げて説明したが、上述の実施形態は本開示の一態様として例示されるものに過ぎない。すなわち、本開示は、上述の例示的な実施形態に限定されるものではなく、本開示の技術的思想を逸脱しない範囲内において、様々な形態で実施することができる。
【００４３】
例えば、上記実施形態では、貯留部５７の具体的形状に関し、溝状である点や、貯留部５７の底面５７Ｃが受け部５５の底面５５Ｃよりも低い位置に形成されている点などを例示したが、貯留部５７の形状については、更に別の工夫がなされていてもよい。例えば、溝状の貯留部５７の前端が、ＦＢ部３Ａの本体上面にある場合には、図６Ａ及び図６Ｂに示すように、貯留部５７の前端に近づくほど溝の深さが浅くなって、前端ではＦＢ部３Ａの本体上面と貯留部５７の底面５７Ｃとの間に段差がなくなる形状とされていてもよい。このように構成されていれば、貯留部５７に溜まった異物を貯留部５７の前端から容易にＦＢ部３Ａの本体上面に掻き出すことができ、簡単に貯留部５７を掃除することができる。
【００４４】
あるいは、溝状の貯留部５７の前端は、図７Ａ及び図７Ｂに示すように、ＦＢ部３Ａの本体側面（本実施形態の場合は本体前面。）に達する形状とされていてもよい。このように構成されていても、貯留部５７に溜まった異物を容易にＦＢ部３Ａの本体側方に掻き出すことができ、簡単に貯留部５７を掃除することができる。
【００４５】
また、上記実施形態では、受け部５５の幅（実施形態中でいう前後方向寸法。）が一定幅になっている例を示したが、受け部５５の幅は一定幅に限らない。より具体的には、例えば、図８Ａに示すように、受け部５５は、第一ＡＤＦプラテン３１から離れるほど間隙が狭まる形状とされていてもよい。このように構成されていれば、貯留部５７寄りの位置において間隙が狭くなることにより、貯留部５７から受け部５５へ異物が逆行するのを抑制する効果を高めることができる。
【００４６】
あるいは、図８Ｂに示すように、受け部５５は、第一ＡＤＦプラテン３１から離れるほど間隙が拡がる形状とされていてもよい。このように構成されていれば、貯留部５７寄りの位置において間隙が広くなることにより、受け部５５内において異物が貯留部５７寄りの位置へ拡散するのを促すことができる。
【００４７】
したがって、貯留部５７から受け部５５へ異物が逆行するのを抑制することを重視する場合には、図８Ａに示した構成を採用すればよく、受け部５５内において異物が貯留部５７寄りの位置へ拡散するのを促すことを重視する場合には、図８Ｂ示した構成を採用すればよい。
【００４８】
また、上記実施形態では、本開示の画像読取装置の一例として、複合機１として構成された画像読取装置を例示したが、複合機１として構成されているか否かは任意である。例えば、単機能の画像読取装置であっても、本開示の構成を採用することができる。
【００４９】
なお、上記各実施形態における一つの構成要素によって実現していた機能を、複数の構成要素によって実現するように構成してもよい。また、複数の構成要素によって実現していた機能を一つの構成要素によって実現するように構成してもよい。また、上記各実施形態の構成の一部を省略してもよい。また、上記各実施形態の構成の少なくとも一部を、他の上記実施形態の構成に対して付加、置換等してもよい。なお、特許請求の範囲に記載の文言から特定される技術思想に含まれる全ての態様が本開示の実施形態に該当する。
【００５０】
［補足］
なお、以上説明した例示的な実施形態から明らかなように、本開示の画像読取装置は、更に以下に挙げるような構成を備えていてもよい。
【００５１】
まず、本開示の画像読取装置において、複数の突出部は、搬送方向に直交するシートの幅方向について、プラテンの一端から他端にわたる範囲の内側に含まれる領域に設けられていてもよい。
【００５２】
このように構成された画像読取装置によれば、プラテンの一端から他端にわたる範囲の内側に含まれる領域において、プラテンと案内部との境界付近に異物が溜まるのを抑制できる。
【００５３】
また、本開示の画像読取装置において、受け部の底面には、プラテンから離れる方向に向かって下り勾配となる傾斜が付与されていてもよい。
このように構成された画像読取装置によれば、受け部に入った異物が、プラテンから離れる方向へ移動しやすくなる。よって、受け部に入った異物がプラテンのある方向へ逆行するのを抑制することができる。
【００５４】
また、本開示の画像読取装置において、受け部は、プラテンから離れるほど間隙が狭まる形状とされていてもよい。
このように構成された画像読取装置によれば、受け部の形状がプラテン寄りの位置ほど間隙が広く、貯留部寄りの位置ほど間隙が狭い形状となる。よって、貯留部寄りの位置において間隙が狭くなることにより、貯留部から受け部へ異物が逆行するのを抑制する効果を高めることができる。
【００５５】
また、本開示の画像読取装置において、受け部は、プラテンから離れるほど間隙が拡がる形状とされていてもよい。
このように構成された画像読取装置によれば、受け部の形状がプラテン寄りの位置ほど間隙が狭く、貯留部寄りの位置ほど間隙が広い形状となる。よって、貯留部寄りの位置において間隙が広くなることにより、受け部内において異物が貯留部寄りの位置へ拡散するのを促すことができる。
【００５６】
また、本開示の画像読取装置において、受け部を挟んでプラテンとは反対側となる位置には、受け部から溢れ出た異物が貯留される貯留部が設けられていてもよい。
このように構成された画像読取装置によれば、受け部から異物が溢れ出たとしても、そのような異物が貯留部に貯留される。したがって、同様な貯留部が設けられていない場合に比べ、より大量の異物に対処することができる。
【００５７】
また、本開示の画像読取装置において、貯留部の底面は、受け部の底面よりも低い位置に形成されていてもよい。
このように構成された画像読取装置によれば、貯留部に入った異物が受け部のある方向へ逆行するのを抑制することができる。
【００５８】
また、本開示の画像読取装置において、貯留部は、搬送方向に直交するシートの幅方向に延びる溝であってもよい。
このように構成された画像読取装置によれば、貯留部として設けられた溝に異物が溜まるので、凹んだ形状になっていない領域が貯留部とされている場合とは異なり、溝の外部へ異物が散らかるのを抑制することができる。
【００５９】
また、例えば、ＡＤＦ用プラテンとＦＢ用プラテンとが隣り合う位置に設けられている場合、両プラテンの間となる位置に上述のような溝を設けることができる。この場合、ＡＤＦ用プラテン上に載った異物がＦＢ用プラテンに近づく方向へ移動しても、そのような異物を溝に溜めることができるので、異物がＦＢ用プラテン上に移動するのを抑制できる。
【００６０】
また、本開示の画像読取装置において、案内部及び貯留部は、装置本体の上面に設けられ、溝は、長手方向の一端が装置本体の上面にあり、一端に近づくほど溝の深さが浅くなって、一端では装置本体の上面と溝の底面との間に段差がなくなる形状とされていてもよい。
【００６１】
このように構成された画像読取装置によれば、溝に溜まった異物を容易に装置本体の上面に掻き出すことができ、簡単に溝を掃除することができる。
また、本開示の画像読取装置において、案内部及び貯留部は、装置本体の上面に設けられ、溝は、長手方向の一端が装置本体の側面に達する形状とされていてもよい。
【００６２】
このように構成された画像読取装置によれば、溝に溜まった異物を容易に装置本体の側面に掻き出すことができ、簡単に溝を掃除することができる。
【符号の説明】
【００６３】
１…複合機、２…本体ユニット、３…読取ユニット、３Ａ…フラットベッド部（ＦＢ部）、３Ｂ…自動原稿搬送部（ＡＤＦ部）、５…操作パネル、６…媒体排出トレイ、７…前面カバー、８…媒体供給カセット、１１…第一イメージセンサ、１２…第二イメージセンサ、２０…搬送部、２１…供給部、２２…排出部、２４…上部カバー、２５…吸入ローラ、２６Ａ…分離ローラ、２６Ｂ…分離片、２７Ａ…第一搬送ローラ、２７Ｂ…第一ピンチローラ、２８Ａ…第二搬送ローラ、２８Ｂ…第二ピンチローラ、２９Ａ…排出ローラ、２９Ｂ…排出ピンチローラ、３１…第一ＡＤＦプラテン、３２…第二ＡＤＦプラテン、３３…第一シート押さえ部、３４…第二シート押さえ部、３５，３６…ばね、３７…ＦＢプラテン、３８…押圧部、４１…ガイドレール、４３…キャリッジ、４５…ベルト、５１…案内部、５２…トップカバー、５３…突出部、５５…受け部、５７…貯留部。
【図１】
2018107591.tif 000003
【図２】
2018107591.tif 000004
【図３】
2018107591.tif 000005
【図４】
2018107591.tif 000006
【図５】
2018107591.tif 000007
【図６】
2018107591.tif 000008
【図７】
2018107591.tif 000009
【図８】
2018107591.tif 000010